(57)【特許請求の範囲】
【請求項１】
ドアまたはそのドアの近辺に配設され、所有者によって所持される携帯機に設定された所定のＩＤコードを読み込んで、そのＩＤコードに基づいてドア錠を施解錠するドア錠の操作装置であって、
前記携帯機に設定されたＩＤコードを読み取る読取手段と、そのＩＤコードを記録する記録手段と、そのＩＤコードと前記記録手段に記録されたＩＤコードとを比較し、それらＩＤコード同士が一致したときにドア錠を解錠するドアロック制御手段とを備えるとともに、
それぞれ異なる等級で格付けされた複数種の登録モードのうちの何れか一つの登録モードに所定の操作によって択一的に切り換わり、前記ＩＤコードの登録時には、選択された登録モードで記録された既存のＩＤコードと、その登録モードよりも低い等級の登録モードで記録された既存のＩＤコードとを全て抹消した後に、新規のＩＤコードを該選択された登録モードと対応付けて前記記録手段に記録することを特徴とするドア錠の操作装置。
【請求項２】
当該操作装置には、前記複数の登録モードの１つずつに対応する複数の登録スイッチが接続され、それら登録スイッチのうちの１つを操作したときに、その操作された登録スイッチに対応する登録モードに切り換わるように設定され、それら登録スイッチのうちの少なくとも１つは、保護カバーによって被覆されていることを特徴とする請求項１に記載のドア錠の操作装置。
【発明の詳細な説明】
【０００１】
【発明の属する技術分野】
本発明は、ドア錠の施解錠を行う装置に関するものである。
【０００２】
【従来の技術】
一般に、住宅等の建物のドア錠は、ドアに設けられた鍵穴に機械的なキーを挿入して回動することにより、施錠・解錠されるようになっている。
【０００３】
しかし近年では、セキュリティの向上を目的に、ＩＤコードを用いた電子キーシステムも提案されている。この電子キーシステムは、所定のＩＤコードが記録された電子キーと、そのＩＤコードを読み取るための電子錠とから構成されている。こうした電子キーシステムとして、電子錠に設けられたカードリーダに電子キーを接触させることによって、電子錠にＩＤコードを読み込ませるものがある。また、電子キーに設けられた送信ボタンを押すことによって、ＩＤコードを含む無線信号を電子キーから電子錠に送信させて、電子錠にＩＤコードを読み込ませるものもある。いずれのタイプも、電子錠は、読み取ったＩＤコードと、予め設定されたＩＤコードとを比較し、それらＩＤコード同士が一致したときにドア錠を解錠するようになっている。
【０００４】
ところで、こうした電子キーシステムにおいては、電子キーに設定されたＩＤコードを予め電子錠に登録することにより、電子キーの使用が可能となる。よって、電子錠には、電子キーのＩＤコードを登録可能とするための構造を設ける必要がある。一般に、こうした構造として、建物の屋内側に、電子錠に接続された登録スイッチなどを設け、このスイッチをＯＮさせることによってＩＤコードを登録できるようにしている。
【０００５】
【発明が解決しようとする課題】
しかしながら、建物の屋内にいれば、たとえ第三者であっても登録スイッチを容易に操作することができる。このため、第三者が同等の電子キーを所持していれば、その電子キーのＩＤコードを電子錠に登録することも可能となってしまう。そして、新たなＩＤコードの登録があったことを家人が認識することは困難であり、セキュリティレベルが低下するという問題点があった。
【０００６】
そこで、この問題点を解決するために、新規の電子キーのＩＤコードを登録したときには、登録済みのＩＤコードを全て抹消した後に、新規の電子キーのＩＤコードを登録可能とすることが考えられる。このようにすれば、家人の所持する電子キーによるドア錠の施解錠ができなくなるため、家人は、新規にＩＤコードが登録されたことを確実に認識することができる。
【０００７】
ところが、こうした登録態様によると、家人による新規の電子キーの登録時にも、既存のＩＤコードが全て抹消される。このため、使用したい電子キーのＩＤコードを全て再登録する必要がある。しかし、非同居者（例えば単身赴任中や下宿中の者等）がいる家族の場合には、その非同居者が所持する電子キーを再登録することが困難である。よって、非同居者は、帰宅した際に、所持する電子キーでドア錠を解錠できなくなり、操作性が低下してしまう。
【０００８】
本発明はこうした実情に鑑みてなされたものであり、その目的は、セキュリティレベル及び操作性の低下を防止することができるドア錠の操作装置を提供することにある。
【０００９】
【課題を解決するための手段】
上記の課題を解決するために、請求項１に記載の発明では、ドアまたはそのドアの近辺に配設され、所有者によって所持される携帯機に設定された所定のＩＤコードを読み込んで、そのＩＤコードに基づいてドア錠を施解錠するドア錠の操作装置であって、前記携帯機に設定されたＩＤコードを読み取る読取手段と、そのＩＤコードを記録する記録手段と、そのＩＤコードと前記記録手段に記録されたＩＤコードとを比較し、それらＩＤコード同士が一致したときにドア錠を解錠するドアロック制御手段とを備えるとともに、それぞれ異なる等級で格付けされた複数種の登録モードのうちの何れか一つの登録モードに所定の操作によって択一的に切り換わり、前記ＩＤコードの登録時には、選択された登録モードで記録された既存のＩＤコードと、その登録モードよりも低い等級の登録モードで記録された既存のＩＤコードとを全て抹消した後に、新規のＩＤコードを該選択された登録モードと対応付けて前記記録手段に記録することを要旨とする。
【００１０】
請求項２に記載の発明では、請求項１に記載のドア錠の操作装置において、当該操作装置には、前記複数の登録モードの１つずつに対応する複数の登録スイッチが接続され、それら登録スイッチのうちの１つを操作したときに、その操作された登録スイッチに対応する登録モードに切り換わるように設定され、それら登録スイッチのうちの少なくとも１つは、保護カバーによって被覆されていることを要旨とする。
【００１２】
以下、本発明の「作用」について説明する。
請求項１に記載の発明によると、各登録モードがそれぞれ異なる等級で格付けされている。そして、ＩＤコードの登録時には、選択された登録モード以下の等級の登録モードで記録された既存のＩＤコードが全て抹消された後に、新規のＩＤコードが該選択された登録モードと対応付けて記録手段に記録されるようになっている。このため、非同居者が所持する携帯機のＩＤコードを高い等級の登録モードで登録しておけば、その登録モードで第三者による不正な登録がなされた場合においても、家人はその旨を確実に認識することができる。また、新たに携帯機のＩＤコードを登録する際には、低い等級の登録モードを選択することにより、高い等級の登録モードで登録されたＩＤコードを抹消してしまうこともない。
【００１４】
請求項２に記載の発明によると、操作装置は、各登録スイッチのうちの１つを操作したときに、その操作された登録スイッチに対応する登録モードに切り換わるようになっている。このため、各登録スイッチを操作するだけで、対応する登録モードに切り換えることができる。すなわち、簡単な操作で各登録モードに切り換えることができる。
【００１５】
しかも、複数の登録スイッチのうちの少なくとも１つは、保護カバーによって被覆されている。このため、保護カバーに被覆されたスイッチと被覆されてないスイッチとでは、被覆されていないスイッチの方に注意が傾く。それゆえ、第三者により被覆された登録スイッチで不正な登録が行われてしまうことを抑制することができる。よって、その登録スイッチによる登録モードで、非同居者の所持する携帯機のＩＤコードを登録しておけば、そのＩＤコードが第三者によって抹消されてしまうことを抑制することができる。
【００１７】
【発明の実施の形態】
以下、本発明を住宅用ドア錠の遠隔操作装置に具体化した一実施形態を図１〜図４に基づき詳細に説明する。
【００１８】
図１に示すように、遠隔操作装置１は、住宅２の所有者（家人）に所持される携帯機１１と、住宅２のドア３内に配設され、携帯機１１と相互通信可能な通信制御装置１２とを備えている。
【００１９】
図２及び図３に併せ示すように、ドア３には、屋外側に露出する屋外アンテナ部４と、屋内側に露出する屋内アンテナ部５が配設されている。これらアンテナ部４，５には、それぞれＬＥＤ等からなる表示部６が形成されている。また、図４にも併せ示すように、屋内アンテナ部５には、それぞれ押しボタンスイッチからなる第１登録スイッチ９及び第２登録スイッチ１０が形成されている。そして、第２登録スイッチ１０には、第２登録スイッチ１０を被覆する保護カバー１０ａが形成されている。これにより、第２登録スイッチ１０は、保護カバー１０ａによって隠蔽された状態となっている。この保護カバー１０ａは、可動部１０ｂを軸として手前側に回動可能となっている。このため、この保護カバー１０を回動させて同スイッチ１０を露出させることにより、第２登録スイッチ１０の操作が可能となる。
【００２０】
屋外アンテナ部４の内部には図４に示す送信アンテナ４ａ，４ｂが配設され、、屋内アンテナ部５の内部には図３及び図４に示す送信アンテナ５ａ，５ｂが配設されている。また、図１及び図２に示すように、ドア３の側面３ａには、受信アンテナ１２ａが埋設されている。
【００２１】
なお、本実施形態において、送信アンテナ４ａ，４ｂ，５ａ，５ｂは１３４ｋＨｚの電波を送信可能に設定され、受信アンテナ１２ａは３００ＭＨｚの電波を受信可能に設定されている。
【００２２】
さらに、ドア３には２つのドア錠７，８が形成されており、同ドア３の屋内側面には、これらドア錠７，８を手動で施解錠可能な手動ロック機構７ａ，８ａが形成されている。これら手動ロック機構７ａ，８ａは、一般的な屋内側施解錠用つまみである。よって、これら手動ロック機構７ａ，８ａを手動で操作することによってドア錠７，８を手動で施解錠することができる。
【００２３】
図４に示すように、携帯機１１は、受信回路１３、マイクロコンピュータ（マイコン）１４、送信手段としての送信回路１５、及び手動操作手段としての入力回路１６を備えている。
【００２４】
受信回路１３は、通信制御装置１２からのリクエスト信号を受信して、その信号をマイコン１４に入力するための回路である。
マイコン１４は、受信回路１３からのリクエスト信号が入力されたときに、予め設定された所定のＩＤコードを含む送信信号（ＩＤコード信号）を出力するための回路である。
【００２５】
送信回路１５は、ＩＤコード信号を所定周波数の電波に変調して外部に送信するための回路である。
受信回路１３には受信アンテナ１７ａが接続され、送信回路１５には送信アンテナ１７ｂが接続されている。なお、本実施形態におけるＩＤコード信号の周波数は３００ＭＨｚに設定されている。よって、受信アンテナ１７ａは１３４ｋＨｚの電波を受信可能に設定され、アンテナ１７ｂは３００ＭＨｚの電波を送信可能に設定されている。
【００２６】
入力回路１６は、操作キー等からなり、家人のキー操作によって入力された操作信号をマイコン１４に入力するための回路である。
一方、図４に示すように、通信制御装置１２は、送信回路２１、受信回路２２、及びドアロック制御手段としてのマイクロコンピュータ（マイコン）２３を備えている。
【００２７】
送信回路２１には前記送信アンテナ４ａ，４ｂ，５ａ，５ｂが接続され、受信回路２２には前記受信アンテナ１２ａが接続されている。
送信回路２１は、マイコン２３から出力されるリクエスト信号を所定周波数の電波に変換し、送信アンテナ４ａ，４ｂ，５ａ，５ｂを介して出力するための回路である。したがって、図２に示すように、リクエスト信号は、送信アンテナ４ａ，４ｂを介して屋外側におけるドア３の周辺の所定領域Ａ１に出力されるとともに、送信アンテナ５ａ，５ｂを介して屋内側におけるドア３の周辺の所定領域Ａ２に出力される。すなわち、これらの所定領域Ａ１，Ａ２において携帯機１１と通信制御装置１２との相互通信が可能となる。なお、本実施形態におけるリクエスト信号の周波数は、１３４ｋＨｚに設定されている。
【００２８】
携帯機１１から出力されたＩＤコード信号は、受信アンテナ１２ａを介して受信回路２２によって受信される。この受信回路２２は、そのＩＤコード信号をパルス信号に復調して受信信号を生成するとともに、その受信信号をマイコン２３へ出力するための回路である。
【００２９】
マイコン２３には、表示部６、各登録スイッチ９，１０、ドア錠７，８及び手動ロック機構７ａ，８ａが電気的に接続されている。このマイコン２３は、ＣＰＵユニットによって構成されており、リクエスト信号を間欠的に出力するようになっている。また、マイコン２３は、ＥＥＰＲＯＭ等からなる記録手段としてのメモリ２３ａを備えている。このメモリ２３ａは、携帯機１１毎に設定されたＩＤコードを記録可能となっている。
【００３０】
そして、マイコン２３は、ＩＤコードを含む受信信号が入力されたときには、メモリ２３ａに記録されたＩＤコードと受信信号に含まれるＩＤコードとの比較（ＩＤコードの照合）を行うようになっている。そして、それらＩＤコードが一致したときに、マイコン２３は、ドア錠７，８に対して駆動信号を出力するようになっている。
【００３１】
次に、このように構成された遠隔操作装置１によるドア錠７，８の基本的な施解錠動作について説明する。
遠隔操作装置１の動作時には、まず、通信制御装置１２の送信アンテナ４ａ，４ｂ，５ａ，５ｂから所定領域Ａ１，Ａ２に対して、リクエスト信号が間欠的に出力される。このリクエスト信号は、遠隔操作装置１の動作中、常時出力される。
【００３２】
携帯機１１は、所定領域Ａ１，Ａ２内に入ってリクエスト信号を受信すると、このリクエスト信号に応答してＩＤコード信号を自動送信する。すなわち、携帯機１１を所持する家人がドア３に近づいたときに、携帯機１１からＩＤコード信号が自動送信される。携帯機１１は、通常、リクエスト信号を受信するためのスタンバイモードとなっており、該リクエスト信号の受信時にのみＩＤコード信号を送信するようになっている。
【００３３】
通信制御装置１２は、ＩＤコード信号を受信すると、そのＩＤコード信号に含まれるＩＤコードを、自身に予め記録されたＩＤコードと比較する。そして、それらＩＤコード同士が一致したときには、ドア錠７，８に対して駆動信号を出力して、ドア錠７，８を解錠させる。このため、ドア錠７，８は、家人がドア３に近づくだけで自動的に解錠される。すなわち、家人は、ドア錠７，８を解錠するための操作を一切行う必要がない。
【００３４】
一方、ドア錠の解錠後、携帯機１１が所定領域Ａ１，Ａ２から離間したときには、携帯機１１は、リクエスト信号を受信できなくなるため、ＩＤコード信号を送信しなくなる。すなわち、通信制御装置１２はＩＤコード信号を受信できなくなる。この場合、マイコン２３は、携帯機１１がドア３から離れたものと判断して、ドア錠７，８に対して駆動信号を出力し、ドア錠７，８を施錠させる。よって、ドア錠７，８は、家人がドア３から離間するだけで自動的に施錠される。すなわち、家人は、ドア錠７，８を施錠するための操作を一切行う必要がない。
【００３５】
したがって、こうした遠隔操作装置１によれば、ドア錠７，８を一切の操作を行うことなく施解錠することができる。また、マイコン２３は、ドア錠７，８の解錠時及び施錠時に、前記表示部６に対して信号を出力し、同表示部６によって解錠または施錠されたことを表示させる。なお、本実施形態において表示部６は、色の異なる２つのＬＥＤからなり、ドア錠７，８の解錠時には一方のＬＥＤが点灯され、ドア錠７，８の施錠時には他方のＬＥＤが点灯されるようになっている。
【００３６】
また、入力回路１６の動作時には、携帯機１１から通信制御装置１２に手動操作信号が送信される。この手動操作信号には、ドア錠７，８を優先的に解錠または施錠するための信号が含まれている。そして、通信制御装置１２は、この手動操作信号を受信すると、ドア錠７，８を優先的に解錠または施錠させる。このため、入力回路１６を構成する操作キーによって解錠の操作がなされたときには、たとえ携帯機１１が所定領域Ａ１，Ａ２外にあったとしても、ドア錠７，８は解錠される。そして、施錠の操作がなされたときには、たとえ携帯機１１が所定領域Ａ１，Ａ２内にあったとしても、ドア錠７，８は施錠される。
【００３７】
ところで、携帯機１１によってドア錠７，８を自動施解錠させるためには、携帯機１１のＩＤコードを、通信制御装置１２のマイコン２３のメモリ２３ａに登録しておく必要がある。そこで、こうした各コードの登録動作を、図５を参照して説明する。なお、図５（ａ）は各登録モードと記録手段との相関関係を示す概略図であり、図５（ｂ）は登録モードで行われる動作を時系列的に示す動作図である。
【００３８】
ＩＤコードの登録時には、まず屋内アンテナ部５に配設された第１登録スイッチ９または第２登録スイッチ１０を押す。これにより通信制御装置１２は通常モードから登録モードに切り換わり、メモリ２３ａへのコードの記録が可能となる。詳しくは、通信制御装置１２は、第１登録スイッチ９を押した時に第１登録モードとなり、第２登録スイッチ１０を押した時に第２登録モードとなるように設定されている。なお、本実施形態においては、登録スイッチ９，１０を所定時間（例えば３秒間）以上押すことによって対応する登録モードに切り換わるように設定されている。そして、第１登録モードにおいては、図５（ａ）に示すように、メモリ２３ａに設定された所定の領域にＩＤコードが記録され、この領域に記録された全てのＩＤコードが１つのグループ（グループ１）として設定される。また、第２登録モードにおいては、第１登録モードにおける領域とは異なる領域にＩＤコードが記録され、この領域に記録された全てのＩＤコードが１つのグループ（グループ２）として設定される。
【００３９】
通信制御装置１２は、第１登録モードに切り換えられると、リクエスト信号を出力する。そして、そのリクエスト信号に応答した携帯機１１からのＩＤコード信号を受信すると、メモリ２３ａのグループ１に属する既存のＩＤコードのみを全て抹消する。換言すれば、グループ２に属する既存のＩＤコードについては、抹消されない。そして、受信した新規のＩＤコードをグループ１の領域に記録する。すなわち、第１登録スイッチ９を操作して新規の携帯機１１のＩＤコードを登録した場合には、その新規のＩＤコードが登録される代わりに、以前に第１登録スイッチ９を操作して登録された全てのＩＤコードが抹消される。
【００４０】
また、第２登録モードに切り換えられた場合には、グループ２に属する既存のＩＤコードのみが全て抹消され、受信した新規のＩＤコードがグループ２の領域に記録される。すなわち、第２登録スイッチ１０を操作して新規の携帯機１１のＩＤコードを登録した場合には、その新規のＩＤコードが登録される代わりに、以前に第２登録スイッチ１０を操作して登録された全てのＩＤコードが抹消される。
【００４１】
よって、それら抹消されたＩＤコードを有する携帯機１１によるドア錠７，８の解錠が不能となる。なお、各登録モードに切り換わったときには、屋内側の表示部６の両ＬＥＤが所定時間点灯するようになっている。また、通信制御装置１２は、登録モードに切り換わった後、所定時間内にＩＤコード信号を受信できないときには、自動的に通常モードに切り換わるようになっている。
【００４２】
したがって、本実施形態によれば以下のような効果を得ることができる。
（１）通信制御装置１２は、第１登録スイッチ９の操作時に第１登録モードに切り換わり、第２登録スイッチ１０の操作時に第２登録モードに切り換わるようになっている。また、メモリ２３ａにおけるＩＤコードの記録領域は、各モード毎にグループが分かれている。そして、ＩＤコードの登録時には、その登録を行うために選択された登録モードと対応するグループに属する既存のＩＤコードを全て抹消した後に、新規のＩＤコードがそのグループにあらためて記録される。このため、例えば第三者が携帯機１１のＩＤコードを通信制御装置１２に不正に登録した場合には、家人の所持する携帯機１１によるドア錠７，８の施解錠ができなくなる。よって、家人は、新規にＩＤコードが登録されたことを確実に認識することができる。
【００４３】
しかも、選択された登録モード以外の登録モードで記録された既存のＩＤコードは抹消されない。このため、例えば単身赴任や下宿中などの非同居者がいる家族の場合には、その非同居者が所持する携帯機１１のＩＤコードを他の登録モードで登録しておけば、該ＩＤコードを再登録する必要がない。よって、非同居者が帰宅した際に、所持する携帯機１１でドア錠７，８を解錠できないという操作上の不具合も発生しない。したがって、遠隔操作装置１の操作性の低下を防止することができる。
【００４４】
（２）各登録スイッチ９，１０を操作するだけで、通信制御装置１２を対応する登録モードに切り換えることができる。このため、簡単な操作で通信制御装置１２を各登録モードに切り換えることができる。
【００４５】
（３）第２登録スイッチ１０は、通常、保護カバー１０ａによって隠蔽されている。このため、第２登録スイッチ１０と第１登録スイッチ９とでは、第１登録スイッチ９の方に注意が傾く。それゆえ、第三者により第２登録スイッチ１０で不正な登録が行われてしまうことを抑制することができる。よって、第２登録モードで、非同居者の所持する携帯機１１のＩＤコードを登録しておけば、そのＩＤコードが第三者によって抹消されてしまうことを抑制することができる。
【００４６】
（４）第１登録スイッチ９のみを１回操作することによって第１登録モードに切り換わり、第２登録スイッチ１０のみを１回操作することによって第２登録モードに切り換わるようになっている。すなわち、各登録モードと各登録スイッチ９，１０とが一対一の対応となっている。そして、第１登録スイッチ９または第２登録スイッチ１０を押すだけで、対応する登録モードへの切り換えを行うことができる。このため、より簡単な操作で通信制御装置１２を各登録モードに切り換えることができる。
【００４７】
（５）各登録スイッチ９，１０を所定時間以上ＯＮしたときに、送受信装置１２は対応する登録モードに切り換わるようになっている。換言すれば、瞬間的に登録スイッチ９，１０をＯＮさせても、送受信装置１２は登録モードに切り換わらない。よって、誤って登録スイッチ９，１０をＯＮさせたときなどに送受信装置１２が登録モードになってしまうといった誤動作を防止することができる。
【００４８】
（６）各登録スイッチ９，１０として、押しボタンスイッチが用いられている。このため、各登録スイッチ９，１０を押すだけで送受信装置１２を対応する登録モードに切り換えることができる。すなわち、登録モードへの切換操作を簡単に行うことができる。
【００４９】
（７）登録モード時には、表示部６が点灯されるようになっている。このため、家人は、登録モードか否かを簡単かつ確実に認識することができる。
（８）ドア錠７，８が施錠された際には、表示部６を点灯させることによって施解錠状態が告知される。このため、家人は、ドア３から離れていてもドア錠７，８が施錠状態または解錠状態にあることを確実に認識することができる。しかも、表示部６は、ドア錠７，８の施錠時から所定時間のみ点灯するようになっている。このため、第三者がドア３の施解錠状態を容易に認識してしまうといった不都合を解消することができ、セキュリティの低下を防止することができる。
【００５０】
（９）ドア３の屋内側面には手動ロック機構７ａ，８ａが設けられているため、この手動ロック機構７ａ，８ａを操作することによって、手動でドア錠７，８を施解錠することができる。よって、家人の意志に基づいたドア錠７，８の施解錠を確実に行うことができ、当該装置１の操作性を向上させることができる。
【００５１】
（１０）通信制御装置１２は、登録モードに切り換わった後、所定時間内にＩＤコード信号を受信できないときには、自動的に通常モードに切り換わるようになっている。このため、通常モードへの切換忘れを防止することができ、第三者による不正なＩＤコードの登録をより確実に防止することができる。
【００５２】
なお、本発明の実施形態は以下のように変更してもよい。
・  前記実施形態では、２種類の登録モードを有する遠隔操作装置１に具体化している。しかし、登録モードは、２種類に限らず、３種類以上設定されてもよい。このようにすれば、ＩＤコードの登録態様をより増やすことができる。
【００５３】
・  各登録モードをそれぞれ異なる等級で格付けし、ＩＤコードの登録時には、選択された登録モード以下の等級の登録モードで記録された既存のＩＤコードを全て抹消した後に、新規のＩＤコードを記録手段に記録するようにしてもよい。このようにすれば、非同居者が所持する携帯機１１のＩＤコードを高い等級の登録モードで登録することにより、その登録モードで第三者による不正な登録がなされた場合においても、家人はその旨を確実に認識することができる。また、新たに携帯機１１のＩＤコードを登録する際には、低い等級の登録モードを選択することにより、高い等級の登録モードで登録されたＩＤコードを抹消してしまうこともない。したがって、操作性を低下させることなく、セキュリティレベルをより向上させることができる。
【００５４】
例えば、図６に示すように、遠隔操作装置１に３種類の登録モードを設定する。そして、前記実施形態における第２登録モードに対して最も高い等級を付与し、前記実施形態における第１登録モードに対して中位の等級を付与する。また、第３登録モードに対して下位の等級を付与する。そして、非同居者が所持する携帯機１１のＩＤコードを前記実施形態における第２登録モードで登録し、同居者が所持する携帯機１１のＩＤコードを前記実施形態における第１登録モードで登録する。さらに、幼い子供などの紛失しやすい者が所持する携帯機１１等のＩＤコードを第３登録モードで登録する。
【００５５】
・  前記実施形態では、遠隔操作装置として、ドア錠７，８を自動的に施解錠する遠隔操作装置１に具体化している。しかし、遠隔操作装置は、前述した従来の電子キーシステムに具体化されてもよい。
【００５６】
・  登録モードへの切り換えは、各登録スイッチ９，１０の操作によるものに限定されない。例えば、ドア３の開閉動作を所定時間内に数回行う動作や、ドア錠７，８の施解錠を所定時間内に数回行う動作により、各登録モードへの切り換えを行うようにしてもよい。このようにすれば、登録スイッチ９，１０を省略することができるとともに、第三者によるＩＤコードの不正登録をより防止しやすくすることができる。
【００５７】
・  登録スイッチ９，１０は一つのみとし、その操作態様でモードの切換を行うようにしてもよい。例えば、登録スイッチを１回押すことで第１登録モードに切り換え、同スイッチを短時間のうちに連続して２回押すことで第２登録モードに切り換えるようにしてもよい。
【００５８】
・  登録モードは３種以上あってもよい。また、登録スイッチは、登録モードの種類の数に対応した数だけあってもよい。
・  前記実施形態では、第２登録スイッチ１０のみを保護カバー１０ａで被覆している。しかし、第１登録スイッチ９も、同等の保護カバーによって被覆するようにしてもよい。
【００５９】
・  保護カバー１０ａを省略してもよい。但し、この場合には、第２登録スイッチ１０は隠しスイッチになっていることが望ましい。
・  前記実施形態では、各登録スイッチ９，１０を所定時間以上ＯＮさせたときに対応する登録モードに切り換わるようにしている。しかし、これに限らず、各登録スイッチ９，１０を瞬間的にＯＮさせたときに対応する登録モードに切り換わるようにしてもよい。
【００６０】
・  各登録スイッチ９，１０は、押しボタンスイッチに限らず、例えばスライドスイッチなどの他の種のスイッチでもよい。
・  前記実施形態において各登録スイッチ９，１０は、屋内アンテナ部５に設けられている。しかし、これら登録スイッチ９，１０は、リクエスト信号の出力領域Ａ２内であれば、屋内アンテナ部５以外の場所に設けられてもよい。
【００６１】
・  前記実施形態では、ドア３に２つのドア錠７，８が設けられている。しかし、ドア錠７，８は、２つに限らず、１つのみであってもよい。また、３つ以上のドア錠としてもよい。
【００６２】
・  手動ロック機構７ａ，８ａを省略してもよい。また、入力回路１６を省略してもよい。このようにしても、自動施解錠動作によって、ドア錠７，８を施解錠させることができる。
【００６３】
・  前記実施形態では、表示部６を点灯させることによって登録モードか否かを家人に告知するようにしている。しかし、これに代えてブザーなどを用い、音によって告知するようにしてもよい。また、表示部６を省略し、家人への告知を行わないようにしてもよい。
【００６４】
・  通信制御装置１２は、ドア３内に限らず、ドア３の近辺に配設されてもよい。
・  遠隔操作装置１を、住宅用に限らず、店舗や事務所等の建物用ドア錠の遠隔操作装置として具体化してもよい。また、遠隔操作装置１を、建物用ドア錠に限らず、車両用ドア錠の遠隔操作装置として具体化してもよい。
【００６５】
次に、特許請求の範囲に記載された技術的思想のほかに、前述した実施形態によって把握される技術的思想を以下に列挙する。
（１）  請求項１，２のいずれか１項に記載のドア錠の操作装置において、当該操作装置には２個の登録スイッチが接続され、各々の登録スイッチの操作により、２種類の登録モードに切り換わること。
【００６６】
（２）  請求項２に記載のドア錠の操作装置において、前記登録スイッチを所定時間以上ＯＮさせたときに、前記登録モードに切り換えるようにしたこと。この技術的思想（２）に記載の発明によれば、誤って登録スイッチをＯＮさせたときなどに登録モードになってしまうといった誤動作を防止することができる。
【００６７】
（３）  請求項１に記載のドア錠の操作装置において、当該操作装置には１個の登録スイッチが接続され、その登録スイッチをそれぞれ異なる態様で操作することにより、その操作態様と対応する各種登録モードに切り換わること。この技術的思想（３）に記載の発明によれば、簡単な操作によって登録モードに切り換えることができるとともに、登録スイッチの数を必要最小限とすることができる。
【００６８】
（４）  請求項２または技術的思想（２）に記載のドア錠の操作装置において、前記登録スイッチは、押しボタンスイッチであること。この技術的思想（４）に記載の発明によれば、登録モードへの切換操作をより簡単に行うことができる。
【００６９】
（５）  請求項１，２、技術的思想（１）〜（４）のいずれか１項に記載のドア錠の操作装置において、前記ドアまたはそのドアの近辺には、登録モードに切り換わったときに点灯する表示部が設けられていること。この技術的思想（５）に記載の発明によれば、登録モードか否かを簡単かつ確実に認識することができる。
【００７０】
（６）  ドアまたはそのドアの近辺に配設され、所有者によって所持される携帯機に設定された所定のＩＤコードを読み込んで、そのＩＤコードに基づいてドア錠を施解錠するドア錠の操作装置であって、前記携帯機に設定されたＩＤコードを読み取る読取手段と、そのＩＤコードを記録する記録手段と、そのＩＤコードと前記記録手段に記録されたＩＤコードとを比較し、それらＩＤコード同士が一致したときにドア錠を解錠するドアロック制御手段とを備えるとともに、所定の操作によって複数種の登録モードのうちのいずれか一つの登録モードに択一的に切り換わり、各々の登録モードでは、各登録モード毎に登録された各ＩＤコードを個別のグループに分けて記録手段に記録するとともに、新規のＩＤコードの登録時には、選択された登録モードと対応するグループに記録された既存のＩＤコードのみを全て抹消した後に、新規のＩＤコードを記録手段に記録するように設定されていることを特徴とするドア錠の操作装置。
【００７１】
（７）  ドアまたはそのドアの近辺に配設され、所有者によって所持される携帯機に設定されたＩＤコードを読み取る読取手段と、そのＩＤコードを記録する記録手段と、そのＩＤコードと前記記録手段に記録されたＩＤコードとを比較し、それらＩＤコード同士が一致したときにドア錠を解錠するドアロック制御手段とを備えるドア錠の自動操作装置におけるＩＤコードの登録方法であって、所定の操作によって複数種の登録モードのうちのいずれか一つの登録モードに択一的に切り換え、前記ＩＤコードの登録時には、その選択された登録モードで記録された既存のＩＤコードのみを全て抹消した後に、新規のＩＤコードを記録手段に記録するようにしたこと。
【００７２】
【発明の効果】
以上詳述したように、請求項１、２に記載の発明によれば、セキュリティレベル及び操作性の低下を防止することができる。
【００７３】
請求項２に記載の発明によれば、簡単な操作で各登録モードに切り換えることができるとともに、セキュリティレベル及び操作性の低下をより確実に防止することができる。
【図面の簡単な説明】
【図１】本発明を住宅用ドア錠の遠隔操作装置に具体化した一実施形態に用いられるドアを屋外側から視た概略斜視図。
【図２】同実施形態に用いられるドアの概略側面図。
【図３】屋内アンテナ部を拡大して示す正面図。
【図４】同実施形態の遠隔操作装置の概略構成を示すブロック図。
【図５】（ａ）は各登録モードと記録手段との相関関係を示す概略図、（ｂ）は登録モードで行われる動作を時系列的に示す動作図。
【図６】他の実施形態におけるＩＤコードの登録態様を示すブロック図。
【符号の説明】
１…遠隔操作装置、２…住宅、３…ドア、４…屋外アンテナ部、５…屋内アンテナ部、４ａ，５ａ…送信アンテナ、４ｂ，５ｂ…受信アンテナ、７，８…ドア錠、９…第１登録スイッチ、１０…第２登録スイッチ、１０ａ…保護カバー、１１…携帯機、１２…送受信装置、２１…送信回路、２３…ドアロック制御手段としてのマイコン、２３ａ…記録手段としてのメモリ。
【図１】
0003895091.tif 000002
【図２】
0003895091.tif 000003
【図３】
0003895091.tif 000004
【図４】
0003895091.tif 000005
【図５】
0003895091.tif 000006
【図６】
0003895091.tif 000007